(57)【要約】【課題】本発明は、重量の大きい電池パックを、充電式電動工具から分離して携行袋に収納又は作業現場に載置して電気コードを介して使用できるようにし、女性や老齢者の作業負担を大巾に軽減できるようにした充電式電動工具の電気接続装置を提供する。【解決手段】充電式電動工具５０の１対の給電端子５１に着脱可能に当接する１対の当接片１１と、各当接片１１と電気接続する電気コード３０とを設けたアタッチメント１０と、電池パック４０の１対の給電端子４１に着脱可能に当接する１対の当接片２１と、各当接片２１と電気接続する電気コード３０とを設けたアタッチメント２０とからなるもの。【選択図】    図３
2011031340.tif 000002
【特許請求の範囲】
【請求項１】
電池パック（４０）をスライド移動して着脱可能に装着できるようにした充電式電動工具（５０）において、前記電動工具（５０）内の１対の給電端子（５１）に、それぞれ当接する１対の当接片（１１）と前記各当接片（１１）と電気接続する電気コード（３０）とを設けたものと、前記電動工具（５０）のスライド係止部（５０１）にスライド係止できるようにした係止部（１０１）と、前記係止部（１０１）を前記電動工具（５０）の前記スライド係止部（５０１）に固定できるようにしたねじ部（１０２）とからなる工具用アタッチメント（１０）と、前記電池パック（４０）の１対の給電端子（４１）にそれぞれ当接する１対の当接片（２１）と、前記各当接片（２１）と電気接続する前記電気コード（３０）とを設けたものと、前記電池パック（４０）のスライド係止部（４０１）にスライド係止できるようにした係止部（２０１）と、前記係止部（２０１）を前記電池パック（４０）の前記係止部（４０１）に固定できるようにしたねじ部（２０２）とからなる電池用アタッチメント（２０）とを備えて、前記電動工具（５０）を作動させるとき、前記電池パック（４０）を前記電動工具（５０）に直接装着させることなく、作業現場に載置又は携帯袋に収納した前記電池パック（４０）の１対の給電端子（４１）に電気接続した前記電池用アタッチメント（２０）と、前記電動工具（５０）の１対の給電端子（５１）に電気接続した前記工具用アタッチメント（１０）とを前記電気コード（３０）を介して、前記電動工具（５０）を作動できるようにしたことを特徴とした充電式電動工具の電気接続装置。
【発明の詳細な説明】
【技術分野】
【０００１】
本発明は、電池パックを着脱可能に装着できるようにした充電式電動工具において、電動工具と電池パックとを分離して使用できるようにした充電式電動工具の電気接続装置に関する。
【背景技術】
【０００２】
従来、充電式電動工具は、３６ボルト、２８．８ボルト、１４．４ボルト等のリチウム電池等の電池パックをスライド移動し着脱可能に装着してコードレスで、穴あけ、ねじ締め、切断その他の諸作業ができる利点があったが、反面、強力な電池を搭載するので、重量が重く、特に工事用工具では女性や老齢者の作業負担が大きい欠点があった。
そこで、本発明者は、電池重量が大きく、腕力負担が大きいにも拘わらず、精密作業や天井作業や狭隘場所などの作業などが必要な場合には、一時的に電池パックを電動工具より分離して電池パックのみを携行袋に収納、又は、作業現場に載置して電池パックから電気コードを介して軽量になった電動工具により諸作業ができるようにし、上記問題点を解決することに成功した。
【先行技術文献】
【特許文献】
【０００３】
【特許文献１】特開２００１−３５１５９２号
【特許文献２】特開２００８−１３２５５０号
【発明の概要】
【発明が解決しようとする課題】
【０００４】
本発明は、重量の大きい電池パックを充電式電動工具本体から分離して使用できるようにした充電式電動工具の電気接続装置を提供するものである。
また、本発明は、女性や老齢者が充電式電動工具を使用する作業の体力的負担を大巾に軽減できるようにした充電式電動工具の電気接続装置を提供するものである。
さらに、本発明は、小型軽量で製作費安く、簡単、容易かつ安全にできるようにした充電式電動工具の電気接続装置を提供するものである。
【課題を解決するための手段】
【０００５】
本発明充電式電動工具の電気接続装置の請求項１の発明は、上記課題を達成するため、図示するように、電池パック（４０）をスライド移動して着脱可能に装着できるようにした充電式電動工具（５０）において、前記電動工具（５０）内の１対の給電端子（５１）に、それぞれ当接する１対の当接片（１１）と前記各当接片（１１）と電気接続する電気コード（３０）とを設けたものと、前記電動工具（５０）のスライド係止部（５０１）にスライド係止できるようにした係止部（１０１）と、前記係止部（１０１）を前記電動工具（５０）の前記スライド係止部（５０１）に固定できるようにしたねじ部（１０２）とからなる工具用アタッチメント（１０）と、前記電池パック（４０）の１対の給電端子（４１）にそれぞれ当接する１対の当接片（２１）と、前記各当接片（２１）と電気接続する前記電気コード（３０）とを設けたものと、前記電池パック（４０）のスライド係止部（４０１）にスライド係止できるようにした係止部（２０１）と、前記係止部（２０１）を前記電池パック（４０）の前記係止部（４０１）に固定できるようにしたねじ部（２０２）とからなる電池用アタッチメント（２０）とを備えて、前記電動工具（５０）を作動させるとき、前記電池パック（４０）を前記電動工具（５０）に直接装着させることなく、作業現場に載置又は携帯袋に収納した前記電池パック（４０）の１対の給電端子（４１）に電気接続した前記電池用アタッチメント（２０）と、前記電動工具（５０）の１対の給電端子（５１）に電気接続した前記工具用アタッチメント（１０）とを前記電気コード（３０）を介して、前記電動工具（５０）を作動できるようにしたものである。
本発明において、電動工具のスライド係止部は、特開２００８−１３２５５０号公報の図５に示される係止凸部２０のように一定間隔毎に形成されているものや、特開２００１−３５１５９２号公報の図１に示されるように、ガイドレール５の張り出し部６のように連続的に形成されているものなどがある。
また、本発明において、電池パックのスライド係止部は、特開２００８−１３２５５０号公報の図６に示される係止溝部２９のように一定間隔毎に形成されているものや、特開２００１−３５１５９２号公報のスライドレール１８のように連続的に形成されているものなどがある。
【発明の効果】
【０００６】
本発明品は、充電式電動工具から電池パックを分離して、電池パックを、腰バンドや肩バンドがけができるようにした携行袋に収納又は作業現場に載置して、電池パックと電動工具とを１対のアタッチメントとその電気コードで連結するだけで、重量を大巾に軽減した電動工具として使用できるので、特に精密作業、天井工事、狭隘場所での作業などの場合に操作しやすい上に、女性作業員や老齢作業員の作業負担を大きく軽減できる強味がある。また、本発明品は取扱簡単で、軽量、小型、安価につく利点がある。
【図面の簡単な説明】
【０００７】
【図１−１】本発明実施例の工具用アタッチメントの正面図である。
【図１−２】図１−１の右側面図である。
【図１−３】図１−１の左側面図である。
【図１−４】図１−３のＡ−Ａ線断面図である。
【図１−５】図１−１の底面図である。
【図１−６】図１−１の斜視図である。
【図２−１】本発明実施例の電池用アタッチメントの正面図である。
【図２−２】図２−１の右側面図である。
【図２−３】図２−１の左側面図である。
【図２−４】図２−３のＢ−Ｂ線断面図である。
【図２−５】図２−１の底面図である。
【図２−６】図２−１の斜視図である。
【図３】本発明実施例の使用時の全体説明図である。
【発明を実施するための形態】
【０００８】
本発明実施例１に本発明を実施するための最良の形態を記載した。
【実施例１】
【０００９】
本発明装置の実施例１が、図１−１乃至図３に示されている。
本発明実施例の充電式電動工具の電気接続装置は、工具用アタッチメント１０と電池用アタッチメント２０とからなっている。
アタッチメント１０は、電池パック４０をスライド移動して着脱可能に装着できるようにした充電式電動工具本体５０の底部の１対のスライド係止部５０１と天面部５０２との間に着脱可能に嵌入して係止できるようにした１対の係止部１０１と、電動工具５０の底部の１対の給電端子５１にそれぞれ当接する１対のコンセント状の差込型の当接片１１が設けられると共に、各当接片１１と電気接続する電気コード３０が設けられている。また、つまみ付のねじ１０２が螺入されて電動工具５０の１対のスライド係止部５０１に嵌入した１対の係止部１０１を動かないように固定できるようにしている。
電池用アタッチメント２０は、電池パック４０の１対の給電端子４１にそれぞれ当接される１対の当接片２１が設けられると共に、各当接片２１と電気接続する電気コード３０が設けられている。
また、１対の係止片２０１が設けられ、電動工具５０の１対のスライド係止部５０１にスライド係止できるようにした電池パック４０の１対のスライド係止部４０１に嵌入され、また、つまみ付のねじ部２０２の螺入により、スライド係止部４０１に嵌入した係止部２０１を動かないように固定できるように設けている。
従って、電動工具５０を電池パック４０と分離して使用するときは、携行袋に収納した、又は、作業現場近くに載置した電池パック４０の１対の給電端子４１にアタッチメント２０の１対の当接片２１を嵌入すると共に、１対の係止片２０１を電池パック４０の１対のスライド係止部４０１に嵌入したのち、つまみ付のねじ部２０２で１対の係止片２０１を動かないように固定し、アタッチメント１０の１対の当接片１１を電動工具５０の１対の給電端子５１に嵌入すると共に、１対の係止部１０１を電動工具５０の１対のスライド係止部５０１に嵌入したのち、つまみ付のねじ部１０２で１対の係止片１０１を動かないように固定し、電気コード３０を介して電池パック４０と電動工具５０とを電気接続すれば、電動工具５０は作動する。
【産業上の利用可能性】
【００１０】
本発明品は、小型、軽量、安価で量産できる。
【符号の説明】
【００１１】
１０                工具用アタッチメント
１０１              工具用アタッチメントの係止部
１０２              工具用アタッチメントのねじ部
１１                工具用アタッチメントの当接片
２０                電池用アタッチメント
２０１              電池用アタッチメントの係止部
２０２              電池用アタッチメントのねじ部
２１                電池用アタッチメントの当接片
３０                電気コード
４０                電池パック
４０１              電池パックのスライド係止部
４１                電池パックの給電端子
５０                充電式電動工具
５０１              充電式電動工具のスライド係止部
５１                電動工具の給電端子
【図１−１】
2011031340.tif 000003
【図１−２】
2011031340.tif 000004
【図１−３】
2011031340.tif 000005
【図１−４】
2011031340.tif 000006
【図１−５】
2011031340.tif 000007
【図１−６】
2011031340.tif 000008
【図２−１】
2011031340.tif 000009
【図２−２】
2011031340.tif 000010
【図２−３】
2011031340.tif 000011
【図２−４】
2011031340.tif 000012
【図２−５】
2011031340.tif 000013
【図２−６】
2011031340.tif 000014
【図３】
2011031340.tif 000015